(57)【要約】【課題】一般の据え置き型（固定設置型）、車載用、更には、携帯電話、ＰＤＡ等の携帯用のいずれのデジタル放送受信端末にも適用可能なデジタル放送の選局手段を提供することが可能なデジタル放送選局システムを構成するデジタル放送受信端末を提供すること。【解決手段】放送受信端末１００は、ＥＰＧ要求情報１５１と共に送信された受信環境条件に応じて受信可能なチャンネル・番組に関するＥＰＧ情報を提供する通信局１０６に対し、少なくとも放送受信端末１００におけるデジタル放送の受信性能に関する情報を、ＥＰＧ情報の提供を求めるＥＰＧ要求情報１５１に含めて通信局１０６へ送信する。【選択図】図１
2008011562.tif 000002
【特許請求の範囲】
【請求項１】
ＥＰＧ要求情報と共に送信された受信環境条件に応じて受信可能なチャンネル・番組に関するＥＰＧ情報を提供する通信局に対し、少なくともデジタル放送受信端末におけるデジタル放送の受信性能に関する情報を、ＥＰＧ情報の提供を求めるＥＰＧ要求情報に含めて前記通信局へ送信することを特徴とするデジタル放送受信端末。
【請求項２】
前記受信性能に関する情報は、前記デジタル放送受信端末の機種情報であることを特徴とする請求項１に記載のデジタル放送受信端末。
【請求項３】
前記受信性能に関する情報は、前記ＥＰＧ要求信号を送信する際に自動的に当該信号に設定されて送信されることを特徴とする請求項１又は２に記載のデジタル放送受信端末。
【請求項４】
前記デジタル放送受信端末の現在位置を取得するＧＰＳ処理部、及び／又は、当該現在位置を入力するＧＵＩを備えていることを特徴とする請求項１〜３のいずれかに記載のデジタル放送受信端末。
【発明の詳細な説明】
【技術分野】
【０００１】
本発明は、デジタル放送受信端末に関するものであり、一般の固定設置（据え置き）型、車載用、更には、携帯電話、ＰＤＡ（Ｐｅｒｓｏｎａｌ  Ｄｉｇｉｔａｌ  Ａｓｓｉｓｔａｎｔｓ）等の携帯用のいずれのデジタル放送受信端末にも適用可能な選局手段を提供するデジタル放送選局システムを構成するデジタル放送受信端末に関する。
【背景技術】
【０００２】
現在、全国で視聴されているアナログ地上放送に代わる新しい地上デジタル放送の準備が進んでいる。この地上デジタル放送は２００３年に関東、近畿、東海の３大都市圏で開始され、２００６年には全国へ拡大させる計画である。これに伴い、現行のアナログ地上放送も２０１１年には廃止される予定である。
【０００３】
かかる地上デジタル放送の技術規格ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）においては、変調方式に多数の搬送波（キャリア）を使うＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）が採用され、ビルによる反射など複数の伝播経路（マルチパス）によるゴースト妨害も抑制が可能となる。また、ＩＳＤＢ−Ｔには、キャリア間隔を規定する伝送モードやキャリア毎の変調方式、有効シンボル長毎に設ける時間軸方向のガードインターバルが、それぞれ複数規定されており、極めて多数の信号形式が規格の上では許容されている。実際には、これらの多数の信号形式の中から、固定受信や移動受信などのサービスに応じて最適な形式が選択されることになる。
【０００４】
また、ＩＳＤＢ−Ｔでは、１つのチャンネル（帯域約５.６ＭＨｚ）を１３セグメント（１セグメント＝約４３０ｋＨｚ）に分割し、分割されたセグメントを単位として変調方式を変えることになる。これによって、１つのチャンネルで音声放送とハイビジョン放送、標準固定放送と移動体放送といったように、放送局は任意に信号構成を決定することができる。
【０００５】
更に、ＩＳＤＢ−Ｔは、時間軸方向のインターリーブを取り入れており、利用する電波も移動体への伝送に適していることから、車載テレビなどの移動受信機やＰＤＡや携帯電話などの携帯端末であっても安定した受信が可能となることが大きな特徴の一つとして挙げられている。今後、このような移動受信や携帯受信を想定した放送サービスも大いに期待されている。
【０００６】
この点、車載テレビ等の移動受信機においては、ある程度表示容量の大きなディスプレイを搭載可能であり、格別、小型軽量化の必要もなく、十分な電力供給源も備わっていることから、広帯域の受信に対応可能である。例えば、図７に示す放送形態のように、データセグメント７０１において、１セグメントの音声受信７０３、６セグメントからなる広帯域の移動受信７０４、残り６セグメントのＳＤＴＶ（標準テレビ）７０５というように１３セグメントを割り当てるサービスを想定することができ、車載テレビに対して、十分な情報量を得ることができる。なお、データセグメント７０１は周波数軸の伝送スペクトル（ＯＦＤＭセグメント）７０２へと変換され、１セグメント受信７０６の部分（Ａ階層）は１３セグメントの中央のセグメントへ配置される。
【０００７】
また、図８に示す放送形態においては、データセグメント８０１のうち１セグメントを携帯端末向けの携帯受信８０３に、残りの１２セグメントすべてをハイビジョンＴＶ受信８０４に割り当てている。図７と同様に、データセグメント８０１は周波数軸の伝送スペクトル（ＯＦＤＭセグメント）８０２へと変換され、１セグメント受信８０５の部分（Ａ階層）は１３セグメントの中央のセグメントへ配置される。なお、図８に示す例においては、携帯受信８０３以外の残りの１２セグメントすべてをハイビジョンＴＶ受信に割り当てているが、６セグメントずつのＳＤＴＶ２チャンネル分に分割して割り当てる等その分割形態は任意に選定し得る。
【発明の開示】
【発明が解決しようとする課題】
【０００８】
確かに、アナログテレビ放送は、電波の伝送経路において様々な電波障害の影響を受け、ノイズ・画面の欠落・同期異常等が発生し易く、移動受信や携帯受信には不向きであり、一方、地上デジタル放送は、上述したように、移動受信や携帯受信に適した方式を採用しており、アナログ地上放送に比べ安定した受信が可能となる。
【０００９】
しかしながら、地上デジタル放送であるからといって、いかなる環境下でも常に良好な映像を享受できるわけではない。受信環境条件は様々であり、電波の受信電力が微弱な場合やノイズの重畳が著しい場合、受信信号の強度が時間経過と共に変化するといったフェージングの影響が大きい場合等においては、良好な映像を再生することができなくなる。
【００１０】
ここで問題となるのが、特に移動受信や携帯受信においては、各放送局の放送サービスエリアを画一的に規定することができず、受信可能な放送番組を正確に示すＥＰＧ（Ｅｌｅｃｔｒｏｎｉｃ  Ｐｒｏｇｒａｍ  Ｇｕｉｄｅ）を視聴者へ提供できなくなってしまうことである。即ち、移動受信や携帯受信においては、ある限定された地域において放送サービスが行なわれるとしても、視聴者の周囲環境、視聴者の移動速度・移動方向、視聴者付近の気象状況、更には、受信端末の機種（種類）によって、視聴の可否が異なってしまい、受信可能な放送番組を示すＥＰＧを画一的なものとして利用することは不可能である。
【００１１】
また、デジタル放送受信においては、アナログ放送のような「ほどほどに映る」、「見難いが、大体見える」というような中間状態が存在せず、受信可能か不可能かのほとんど二値しか存在しない（受信の可否に明確な閾値が存在する）といったことから発生する問題もある。
【００１２】
即ち、アナログ放送であれば、画面を見ながら乱れた映像に対してアンテナの方向を調整したり、受信位置を変えたりして、放送受信に好適な環境を検索することができる。しかし、地上デジタル放送においては、視聴者が受信できない環境下にいる場合、現在の環境がどの程度放送受信に適した環境なのか、どの方向に場所を移せば受信可能となるのか、ＥＰＧも画一的に規定できない以上、その判断に用いる指標が全く存在しないことになる。
【００１３】
本発明は、かかる問題を解決するためになされたものであり、一般の据え置き型（固定設置型）、車載用、更には、携帯電話、ＰＤＡ等の携帯用のいずれのデジタル放送受信端末にも適用可能なデジタル放送の選局手段を提供することが可能なデジタル放送選局システムを構成するデジタル放送受信端末を提供せんとするものである。
【課題を解決するための手段】
【００１４】
第１の技術手段は、ＥＰＧ要求情報と共に送信された受信環境条件に応じて受信可能なチャンネル・番組に関するＥＰＧ情報を提供する通信局に対し、少なくともデジタル放送受信端末におけるデジタル放送の受信性能に関する情報を、ＥＰＧ情報の提供を求めるＥＰＧ要求情報に含めて前記通信局へ送信することを特徴とするデジタル放送受信端末である。
【００１５】
第２の技術手段は、第１の技術手段に記載のデジタル放送受信端末において、前記受信性能に関する情報は、前記デジタル放送受信端末の機種情報であることを特徴とする。
【００１６】
第３の技術手段は、第１又は第２の技術手段に記載のデジタル放送受信端末において、前記受信性能に関する情報は、前記ＥＰＧ要求信号を送信する際に自動的に当該信号に設定されて送信されることを特徴とする。
【００１７】
第４の技術手段は、第１〜３の技術手段のいずれかに記載のデジタル放送受信端末において、前記デジタル放送受信端末の現在位置を取得するＧＰＳ処理部、及び／又は、当該現在位置を入力するＧＵＩを備えていることを特徴とする。
【発明の効果】
【００１８】
本発明により、デジタル放送局からのデジタル放送を受信し、かつ、通信局と通信することができるデジタル放送受信端末の利用者は、デジタル放送受信端末の受信環境条件に基づいて、受信可能とする放送番組に関する選択ＥＰＧ(即ち、受信環境条件に基づいて選択されたＥＰＧ)を取得することができるので、デジタル放送受信端末としては、位置を移動するような車載用の移動端末であっても、視聴者が携行する携帯電話などの携帯端末であっても、建物内などに固定設置される固定設置型端末であっても、受信した選択ＥＰＧにより視聴可能な放送番組を選択し、受信することができる。
【００１９】
また、デジタル放送受信端末の受信環境条件に基づいて選択される対象として、受信可能な放送番組を示す選択ＥＰＧの代わりに、現在位置あるいは該現在位置の周辺において受信可能な放送サービスエリアを放送チャンネル毎に地図情報（放送サービスエリアマップ）として表示させることも可能であり、デジタル放送受信端末の視聴者は、受信環境条件に対応した放送サービスエリアマップを確認して、各放送チャンネルを受信可能とする放送サービスエリアに対する自分の相対位置を知ることが可能である。
【発明を実施するための最良の形態】
【００２０】
図１は、地上デジタル放送選局システムにおける各種信号の流れを示す模式図である。
ここで、デジタル放送を受信する放送受信端末１００の一例として、地上デジタル放送受信機能を備えた携帯電話を用いて以下に説明することとするが、本発明に適用されるデジタル放送受信端末としては、かかる携帯電話のみに限定されるわけではなく、デジタル放送が受信可能であり、かつ、通信機能を搭載している端末であれば、車載用端末やＰＤＡ，モバイルＰＣなどの携帯用端末、あるいは、ディスクトップＰＣ、一般の据え置き型テレビなどの固定設置型端末であっても、本発明の対象となり得る。
【００２１】
図１において、まず、受信可能な放送番組を示すＥＰＧを取得して放送を視聴せんと試みる視聴者は、放送受信端末１００に搭載されている通信機能を用いて、自分の現在位置を示す位置情報１５１ａ１等を含む環境情報１５１ａ（即ち、受信環境条件を示す情報）と、該環境情報１５１ａが示す受信環境条件において受信可能な放送番組を示すＥＰＧの送信を要求するＥＰＧリクエスト１５１ｂとを、ＥＰＧ要求情報１５１として基地局１０４に送信し、該環境情報１５１ａを付加したＥＰＧリクエスト１５１ｂからなるＥＰＧ要求情報１５１を受信した基地局１０４は、ＥＰＧ要求情報１５１を、通信回線網１０５を介して通信局１０６へ送信する。
【００２２】
このとき、環境情報１５１ａを構成している放送受信端末１００の現在位置を示す位置情報１５１ａ１は、放送受信端末１００の表示画面上のＧＵＩ（Ｇｒａｐｈｉｃａｌ  Ｕｓｅｒ  Ｉｎｔｅｒｆａｃｅ）を介して視聴者が直接入力する方法も考えられるが、好ましくは、放送受信端末１００に搭載されているＧＰＳ（Ｇｌｏｂａｌ  Ｐｏｓｉｔｉｏｎｉｎｇ  Ｓｙｓｔｅｍ）処理部１００ａから得られる位置情報を自動的に抽出して位置情報１５１ａ１として送信する方法を用いても良い。
【００２３】
次に、基地局１０４、通信回線網１０５（又は、インターネット）を介して、環境情報１５１ａを付加したＥＰＧリクエスト１５１ｂからなるＥＰＧ要求情報１５１を受信した通信局１０６は、該通信局１０６内に備えられているデータベース１０７（放送番組を格納しているＥＰＧ１０８や、放送チャンネル毎の放送サービスエリアを地図情報として格納している放送サービスエリアマップ１０９）を、放送受信端末１００から環境情報１５１ａとして受信した位置情報１５１ａ１などの受信環境条件に基づいて検索して、放送受信端末１００の位置情報１５１ａ１などの受信環境条件において受信可能とする放送番組に関するＥＰＧを選択ＥＰＧ１５４ａとして抽出して、あるいは、放送受信端末１００の位置情報１５１ａ１などの受信環境条件において受信可能とする放送チャンネルの放送サービスエリアを示す放送サービスエリアマップを選択放送サービスエリアマップ１５４ｂとして抽出して、前述したＥＰＧ要求情報１５１とは逆の経路を辿って、選択情報１５４として放送受信端末１００へ返信する。
【００２４】
ここに、データベース１０７は、放送受信端末が置かれる位置情報を含む受信環境条件毎に受信可能とする放送番組を格納しているＥＰＧ１０８や、前記位置情報を含む受信環境条件毎に放送サービスを受信可能とする領域（放送サービスエリア）を放送チャンネル毎に示す地図情報を格納している放送サービスエリアマップ１０９（例えば、チャンネル１の放送サービスエリアマップ１０９−１、チャンネル２の放送サービスエリアマップ１０９−２など）などから構成されているデータベースである。
【００２５】
なお、データベース１０７を構成する受信環境条件毎のＥＰＧ１０８や放送サービスエリアマップ１０９は、実地試験やシミュレーションを行なって各受信環境条件に応じて作成するものである。
また、ここでは、通信局１０６がデータベース１０７を備えて、放送受信端末１００からのＥＰＧ要求情報１５１に基づいて地上デジタル放送に関する選択情報１５４を応答する配信サービスが行なわれている例を示している。
【００２６】
しかし、本発明においては、かかる場合に限ることなく、データベース１０７を別のサービス業者の情報サービスセンタや放送局自体に備えるようにしても良く、通信局１０６は、放送受信端末１００から受信したＥＰＧ要求情報１５１を、データベース１０７を備えている別のサービス業者の情報サービスセンタや放送局に対して更に転送することにより、転送された別のサービス業者の情報サービスセンタや放送局が、前記放送受信端末１００の受信環境条件において、受信可能なＥＰＧ１０８（場合によっては、放送サービスエリアマップ１０９）を、選択ＥＰＧ１５４ａ（場合によっては、選択放送サービスエリアマップ１５４ｂ）として抽出して、放送受信端末１００へ選択情報１５４として返信することも可能である。
【００２７】
最後に、視聴者は、返信されてきた選択情報１５４を放送受信端末１００上で確認し、例えば、画面表示された選択ＥＰＧ１５４ａの中から直接所望の放送番組を選局し、近くの電波塔Ａ１０１からの放送電波１１０を受信して視聴する。  かくのごとく、通信局１０６などから選択ＥＰＧ１５４ａを受信することにより、例えば、現在位置における視聴者の放送受信端末１００においては、放送電波を送信する近傍の電波塔Ａ１０１からの放送番組Ａは、障害物の影響を受けて受信することができないが、少し遠くの位置にある電波塔Ｂ１０２から送信されてくる放送番組Ｂは受信することができるなど、それぞれの受信環境条件に基づいて受信可能な放送番組を、選択ＥＰＧ１５４ａを受信して初めて視聴者が気付くこともある。
【００２８】
なお、データベース１０７に蓄積されているＥＰＧ１０８や放送サービスエリアマップ１０９を検索する際に用いる受信環境条件の一つである位置情報１５１ａ１としては、放送受信端末１００が位置する緯度及び経度という二次元情報（平面的位置情報）だけでも十分であるが、より正確な選択ＥＰＧ１５４ａの取得を可能とするために、更に、放送受信端末１００が位置する高度及び／又は移動速度・移動方向に関する情報も加味して含めることとしても良い。
【００２９】
即ち、たとえ、放送受信端末１００が同じ二次元上の位置に所在していたとしても、かかる高度や移動速度・移動方向などの外部変数に応じて、放送電波の受信状況が異なるからである。例えば、同じ電波塔から放送電波が配信されている場合であっても、変調方式や誤り耐性が異なる複数の放送電波が配信される場合においては、高度や移動速度・移動方向などの外部変数が異なるような受信環境条件によって、放送電波の受信の可否も異なってくる。従って、放送受信端末１００から送信するＥＰＧ要求情報１５１に含まれる環境情報１５１ａを構成する位置情報１５１ａ１としては、図１に示すように、緯度・経度の二次元情報のみならず、高度や移動速度・移動方向をも含む情報を用いることとしても良い。
【００３０】
（実施例）
図２には、様々な受信環境条件を想定した地上デジタル放送選局システムの一実施例として、受信環境条件が異なる４箇所の屋外の位置で、それぞれ地上デジタルテレビの視聴を所望する４人の視聴者の場合について比較して示している。
【００３１】
図２には、電波塔Ａ２０１ａの近傍で、かつ、見通しも良い位置に所在している視聴者Ａ２１１，ビル街２０２の中に所在している視聴者Ｂ２１２，移動する車内２０３の車載用テレビを使用している視聴者Ｃ２１３、電波塔Ａ２０１ａからは比較的離れた位置であるが、電波塔Ｂ２０１ｂを遠くに望むことができる郊外の公園２０４にいる視聴者Ｄ２１４の４人の視聴者の場合について示している。なお、ここで、地上デジタル放送端末として、視聴者Ｃ２１３は車載用テレビを使用しているが、一方、視聴者Ａ２１１，視聴者Ｂ２１２及び視聴者Ｄ２１４は、地上デジタル放送を受信可能な携帯電話を使用しているものと仮定する。
【００３２】
電波塔Ａ２０１ａからの放送電波を直接受信できる視聴者Ａ２１１は、電波塔Ａ２０１ａから配信されてくる１セグメント放送をすべて受信可能であり、視聴者Ａ２１１が送信した位置情報を含むＥＰＧ要求情報に応答して通信局から受信する選択ＥＰＧ２１１ａとしては、例えば、電波塔Ａ２０１ａから放送されている「チャンネル１の大相撲」，「チャンネル２のグルメ番組」，「チャンネル４の巨人・阪神戦」，「チャンネル７のドラマ」及び「チャンネル９のニュース・天気予報」の５つのチャンネル全ての放送番組を受信可能な放送番組として表示している。
【００３３】
一方、ビル街２０２の中にいる視聴者Ｂ２１２が受信する選択ＥＰＧ２１２ａとしては、電波塔Ａ２０１ａから放送されている放送番組のうち、情報量は少ないか、あるいは、誤り耐性が強い２つのチャンネル、例えば、「チャンネル２のグルメ番組」と「チャンネル９のニュース・天気予報」との２つの放送番組のみを表示している。即ち、誤り耐性の強い放送番組を構成する放送コンテンツとしては、受信電波状態が悪いビル街２０２の中などの環境に位置している視聴者にとってもより利便性もしくは必要性が高い放送コンテンツであること、あるいは、情報量が比較的少ない放送コンテンツであることが想定される。
【００３４】
更に、郊外の公園２０４にいる視聴者Ｄ２１４が受信する選択ＥＰＧ２１４ａとしては、見通しの悪い電波塔Ａ２０１ａからの放送電波を一部（例えば、チャンネル１，チャンネル４，チャンネル７の放送電波を）受信することができないが、見通しが良く、遠くに望むことができる電波塔Ｂ２０１ｂからの放送電波も一部（チャンネル３やチャンネル１０の放送電波を）受信することができ、「チャンネル２のグルメ番組」，「チャンネル３の競馬中継」，「チャンネル９のニュース・天気予報」及び「チャンネル１０のミュージック」の４つの放送番組を表示している。
【００３５】
また、公園２０４において、放送電波を受信する場合、気象条件に依存することが一般的に知られている。例えば、木々の葉が雨に濡れると、電波妨害の効果が生じ、受信感度が悪化する。また、湿度や風速によっても、受信状態は変化し、受信可能な放送番組を提示する選択ＥＰＧ２１４ａの内容を変更する必要がある。よって、前述の図１に示すように、環境情報１５１ａを含むＥＰＧ要求情報１５１を受信した通信局１０６においては、受信したＥＰＧ要求情報１５１に含まれている放送受信端末１００の位置情報１５１ａ１から、該放送受信端末１００の位置における気象情報１５３を、例えば、インターネット上の気象情報Ｗｅｂサイト１０３から入手し、該放送受信端末１００の放送電波の受信に影響を及ぼす環境変数の１つとして使用することがより好ましい。
【００３６】
即ち、図１において、通信局１０６が受信した位置情報１５１ａ１に基づいて入手される気象情報１５３を、位置情報１５１ａ１を含む環境情報１５１ａとリンクさせて、データベース１０７のＥＰＧ１０８を検索する検索条件として用いることとする。なお、かかる場合においては、通信局１０６側においては、当然のことながら、環境変数としての気象情報１５３を含む受信環境条件毎にそれぞれに対応して受信可能とする放送番組を示すＥＰＧ１０８を、予め、データベース１０７に用意しておく必要がある。
【００３７】
また、図２において、車内２０３で視聴している視聴者Ｃ２１３の選択ＥＰＧ２１３ａとしては、電波塔Ａ２０１ａからの放送電波を一部（例えば、チャンネル２やチャンネル７の放送電波を）受信することができないが、３セグメント放送（又は、１２セグメント放送）の交通情報を、新たに受信可能なチャンネル１１として表示している。
【００３８】
車載用テレビ端末や携帯電話などのごとく、地上デジタル放送受信端末の機種に依存する受信性能によっても、受信可能とする選択ＥＰＧは異なるため、図１に示すように、環境情報１５１ａを含むＥＰＧ要求情報１５１を送信する放送受信端末１００は、当該放送受信端末１００の位置情報１５１ａ１のみではなく、ＥＰＧ要求情報１５１の環境情報１５１ａとして、当該放送受信端末１００の端末機種情報１５１ａ２も合わせて送信することが好ましい。かかる場合においても、当然に、通信局１０６側には、環境変数としての端末機種情報１５１ａ２を含む受信環境条件毎にそれぞれに対応して受信可能とする放送番組を示すＥＰＧ１０８を、予め、データベース１０７に用意しておく必要がある。
【００３９】
なお、車や電車、新幹線等の移動体に搭載されている車載用端末にて受信する場合においては、該移動体の進行方向や移動速度も、放送電波の受信環境に影響を及ぼすことになるであろうし、更には、放送サービスエリア間をまたがって移動するといった問題もある。例えば、図３に示すように、高速道路を走行する車に乗車した視聴者３１３が、電波塔Ａ３０１へ向かう方向αを進路とする場合と、電波塔Ｂ３０２へ向かう方向βを進路とする場合とにおいては、同じ位置で選択ＥＰＧを取得しても、車内３０３に搭載されている車載用端末にて受信可能とする放送電波（即ち、受信すべき選択ＥＰＧの内容）は全く違ったものになる可能性が大きい。ここに、図３は、本発明に係る地上デジタル放送選局システムの他の実施例として、車載用端末における放送電波の受信における問題点を示す模式図である。
【００４０】
即ち、方向βへ移動中の移動体である場合には、電波塔Ｂ３０２からの放送電波は問題なく受信できるであろうが、電波塔Ａ３０１からの放送電波はほとんど受信できない可能性が高い。一方、方向αに進んでいる場合は、その逆になるであろう。よって、前述した図１に示す位置情報１５１ａ１に記載しているように、移動体の移動方向（進路）や移動速度に応じて、より正確な選択ＥＰＧを配信するシステムを考えるならば、放送受信端末１００から送信するＥＰＧ要求情報１５１の環境情報１５１ａに含まれる位置情報１５１ａ１には、放送受信端末１００の現在位置（緯度・経度）だけではなく、高度や移動速度・移動方向に関する情報も環境変数として考慮に入れるシステムが好ましい。
【００４１】
以上に説明したように、同じ地域内に所在していたとしても、局所的には、放送電波の受信環境条件が大きく異なり、受信できる放送番組も異なる。前述のごとく、気象情報１５３や、端末機種情報１５１ａ２や、高度・移動速度・移動方向を含む位置情報１５１ａ１などからなる環境情報１５１ａに基づいて、選択ＥＰＧを取得することが可能な本発明に係る地上デジタル放送選局システムにおいては、受信可能な放送電波に関するより正確なＥＰＧを取得することが可能となる。
【００４２】
（ＥＰＧ表示に関する実施例）
選択ＥＰＧの表示形態については様々なものが考えられるが、一般的には、新聞に掲載されているテレビ欄の形態が知られている。しかしながら、携帯用端末機器等のごとく、ディスプレイサイズが小さく制限されている場合には、図２に示す選択ＥＰＧ２１１ａ乃至２１４ａのごとき、チャンネル番号と該チャンネル番号において現在放送中の放送番組名との二つを簡潔に表示する形態がより好ましい。かかる場合においては、チャンネル番号を選択すると、該チャンネル番号において現在放送中の放送番組を受信可能とするが、一方、放送番組名を選択した場合には、例えば、インターネットを介して、当該放送番組に関する詳細な番組紹介を閲覧可能とする応用例も考えられる。
【００４３】
更に、小型ディスプレイの場合を考慮して、選択ＥＰＧとして、放送番組名も省き、受信可能な放送局（即ち、チャンネル番号）の一覧表のみを表示したり、あるいは、図４に示すように、放送局のチャンネル番号を示すチャンネルアイコン４０３を、選局した放送番組の放送映像を表示する受信映像領域４０１とは別のアイコン表示領域４０２（図４においては、受信映像領域４０１の下側領域）に表示する形態としても良い。ここに、図４は、選択ＥＰＧの表示において、受信可能な放送局のチャンネルアイコンを表示する例を示す模式図である。
【００４４】
ここで、例えば、図４（Ａ）に示すＣＨ４（チャンネル４）をアイコン表示領域４０２から選択しさえすれば、視聴者は、ＣＨ４（チャンネル４）の巨人・阪神戦の野球放送を、放送番組として、直ちに受信映像領域４０１に表示させて視聴することができるし、図４（Ｂ）に示すＣＨ２（チャンネル２）をアイコン表示領域４０２から選択することにより、視聴者は、ＣＨ２（チャンネル２）のグルメ番組を、放送番組として、直ちに受信映像領域４０１に表示させて視聴することができる。
【００４５】
なお、図１において前述したように、通信局１０６から返信される選択ＥＰＧ１５４ａとしては、個々の放送受信端末１００の環境情報１５１ａが示す受信環境条件に応じて、受信可能な放送番組をきめ細かく検索して、選択ＥＰＧ１５４ａとして返送することとしても良い。しかし、放送受信端末１００が帰属するある広がりを有する地域を、選択ＥＰＧを検索する際の最小単位として単純化し、放送受信端末１００が存在する地域（即ち、ある程度の広がりを有する地域）を示す予め定められた領域内において、通常状態にある限り受信可能である放送番組を検索して、選択ＥＰＧとして返送することとしても構わない。
【００４６】
かくのごとく単純化することにより、データベース１０７の構築や選択ＥＰＧの検索・作成に関わる手間やコストを低減することが可能となり、また、受信可能な放送電波を抽出することができるそれなりの局所性（即ち、例えば、ある道路周辺では放送電波を受信することができないとか、この公園では放送電波を受信することができるなどと、大きく区分けされる程度の局所性）があるだけでも、十分効果的である場合が存在する。
【００４７】
（放送サービスエリアマップに関する実施例）
図５には、図２で示した選択ＥＰＧ２１１ａ乃至２１４ａを表示する代わりに、ＥＰＧ要求情報１５１の環境情報１５１ａに示されている位置情報１５１ａ１に基づいて、放送番組を受信可能なサービス内エリアと受信不可能なサービス外エリアとを放送チャンネル毎の放送サービスエリアマップ（地図情報）として表示した場合の例を示している。
【００４８】
図５に示すごとく、画面中央部には、現在位置５０１をほぼ中央に配置した地図上に、サービス外エリア５０２とサービス内エリア５０３とを放送チャンネル毎に放送サービスエリアマップとして表示し、画面下部のアイコン表示領域５０４には、放送番組を受信可能な放送チャンネル群を示すチャンネルアイコン５０５を表示している。ここで、例えば、アイコン表示領域５０４のチャンネルアイコン５０５のうち、放送サービスエリアマップを表示させたいいずれかのチャンネル番号を選択した場合、現在位置を中心にした地図上に、選択されたチャンネル番号の放送サービスエリアマップとして、サービス外エリア５０２（例えば、図５においては、背景空白の領域）とサービス内エリア５０３（例えば、図５においては、背景ハッチングの領域）とをそれぞれ区別して表示することが可能となっている。視聴者は、該放送サービスエリアマップを参照することによって、自分が視聴したいチャンネル番号の放送番組を受信できる場所にいるかどうか、また、受信が不可能であれば、どこへ移動したら受信可能となるかを知ることができる。
【００４９】
例えば、図５（Ａ）に示すＣＨ４（チャンネル４）の放送サービスエリアマップの場合、視聴者は、現在、例えば街中の交差点に位置していて、かかる現在位置５０１の周辺では、ＣＨ４（チャンネル４）の放送電波が受信できない状態にあることがわかる。更に、該交差点の現在位置５０１から上下左右いずれかの方向に、少し離れた周辺位置まで移動すれば、サービス内エリア５０３となり、受信可能となることが容易に識別することができる。また、図５（Ｂ）に示すＣＨ２（チャンネル２）の放送サービスエリアマップの場合、視聴者は、右下の方向に移動すれば、サービス内エリア５０３となり、受信可能であることがわかる。
【００５０】
かくのごとき放送サービスエリアマップを表示させたい場合、図１に示す実施例において、現在位置を示す位置情報１５１ａ１を有する環境情報１５１ａを含むＥＰＧ要求情報１５１として、選択ＥＰＧ１５４ａではなく、選択放送サービスエリアマップ１５４ｂの返送を要求する旨の情報を付加して通信局１０６に送信することにより、通信局１０６において、データベース１０７中の放送サービスエリアマップ１０９を検索して、放送受信端末１００から受信した位置情報１５１ａ１に示されている位置又は該位置の周辺にて受信可能な放送チャンネルに該当する放送サービスエリアマップを、選択放送サービスエリアマップ１５４ｂとして返送することにより、放送受信端末１００において、選択放送サービスエリアマップ１５４ｂの中から、選択したチャンネル番号の放送サービスエリアマップを表示させることができる。
【００５１】
なお、放送サービスエリアマップを表示する場合、放送受信端末１００の所在位置毎の、即ち、細かな局所的な場所毎の受信環境条件をも考慮に入れて、詳細な受信可能な放送チャンネルの放送サービスエリアマップを作成してデータベース１０７内の放送サービスエリアマップ１０９に蓄積することとすると、詳細な放送サービスエリアマップ１０９の作成に手間やコストがかかるのみならず、データベース１０７の記憶容量の面でも問題が生じるので、放送サービスエリアマップ１０９は、放送受信端末１００の詳細な環境情報１５１ａ毎に対応したものよりも、ある程度の広がりを有する予め定められた領域（ブロック）を最小単位として、該領域（ブロック）を組み合わせた一般的な放送サービスエリアマップ１０９とすることとしても勿論構わない。
【００５２】
ある程度の広がりを有する領域（ブロック）を最小単位とする放送サービスエリアマップ１０９を用いた場合、通常状態においては、確かに放送サービスが行なわれている（即ち、放送番組が受信可能な）放送サービス内エリアであるにも関わらず、局所的な特定の位置においては、放送番組が受信できないといった表示（例えば、携帯電話におけるアンテナ表示がないとの表示）がなされてしまう矛盾も発生する。
【００５３】
しかし、逆に、放送サービスエリアマップ１０９を表示させることにより、現在位置の受信環境条件を少し変更すれば、受信することができる可能性があることを視聴者は確実に認識することができるという効果もある。
また、放送サービス外エリアにいる場合には、放送を受信可能とするために、現在位置からどちらの方向にどれだけ移動すればよいかという情報を視聴者は簡易に把握することができるという効果もある。
【００５４】
（内部構成に関する実施例）
次に、地上デジタル放送を受信することができる地上デジタル放送受信端末の一例として地上デジタル放送受信対応携帯電話の構成例と、ＥＰＧ情報等を格納するデータベースを備えている回線交換ベースの通信局の構成例とを図６に示す。即ち、図６は、本発明に係る地上デジタル放送受信端末と通信局との一例として、地上デジタル放送受信対応携帯電話と回線交換通信局との全体構成例をそれぞれ示すブロック構成図である。
【００５５】
まず、地上デジタル放送受信端末６００においては、放送用アンテナ６０１により電波塔６３１から受信された地上デジタル放送信号が、チューナ６０２、ＯＦＤＭ復調器６０３、デコーダ６０４を経由して、音声信号と映像信号とに復元され、音声信号は音声信号処理部６１５を経由してスピーカ６１７で再生され、映像信号は映像信号処理部６１８へ入力され、ディスプレイ６１９で表示される。
【００５６】
更に、通信用アンテナ６１０により通信局６５０から通信回線網６３３、基地局６３２を介して受信された携帯電話用通信信号は、ＲＦ処理部６１１、ベースバンド処理部６１３と電話音声ＡＤ／ＤＡ処理部６１４からなるＷ−ＣＤＭＡ処理部６１２を通じてマイク６１６及びスピーカ６１７にて再生される。該携帯電話用通信信号を用いて、通信局６５０から選択ＥＰＧ情報や選択放送サービスエリアマップなどの各種情報を取得した場合や、インターネット接続をしてＷｅｂサイト（情報サービスセンタなど）から各種情報を取得した場合は、通信局６５０からの情報やインターネットからの情報は、ベースバンド部６１３からデコーダ６０４及び映像信号処理部６１８を経由して、ディスプレイ６１９にて表示させることも可能であるし、デコーダ６０４、バス６２３を介して、メモリ６０７に保存させることも可能である。
【００５７】
例えば、通信局６５０から選択ＥＰＧ（即ち、地上デジタル放送受信端末６００からのＥＰＧ要求情報に基づいて、当該地上デジタル放送受信端末６００の現在位置において受信可能な放送番組の一覧を通知してくるＥＰＧ情報）や、あるいは、選択放送サービスエリアマップ（即ち、地上デジタル放送受信端末６００からのＥＰＧ要求情報に基づいて、当該地上デジタル放送受信端末６００の現在位置又はその周辺において受信可能な放送チャンネル毎の放送サービスエリアを示す地図情報）が受信された場合には、ディスプレイ６１９に表示させたり、メモリ６０７に保存させたりすることができる。
【００５８】
また、逆に、地上デジタル放送受信端末６００から基地局６３２を経由して通信局６５０に対して、例えばＥＰＧ要求情報を送信するような場合、視聴者が操作部６２０を操作することにより、制御部６０９は、かかるＥＰＧ要求情報の送信要求を受け付けて、主記憶部６０６やメモリ６０７に格納されている情報（例えば、ＥＰＧ要求情報６０７ａ、位置情報６０７ｂ、端末機種情報６０７ｃなど）を読み出して、基地局６３２を介して通信局６５０に送信可能なＥＰＧ要求情報として編集した後、バス６２３、デコーダ６０４及びＲＦ処理部６１１を介して、携帯電話用通信信号とされて、通信用アンテナ６１０から基地局６３２に対して送信される。
【００５９】
また、地上デジタル放送受信端末６００には、前述のごとく、当該地上デジタル放送受信端末６００の現在位置を示すＧＰＳ衛星からのＧＰＳ位置情報を受信することができるＧＰＳ用アンテナ６２１とＧＰＳ処理部６２２とを備えていても良く、受信されたＧＰＳ位置情報はバス６２３を介してメモリ６０７に保存され、地上デジタル放送受信端末６００の現在位置として、前述のＥＰＧ要求信号の編集の際に用いることができる。
【００６０】
ここで、制御部６０９は、地上デジタル放送受信端末６００全体を、主記憶部６０６に格納されている制御プログラムの動作に基づいて制御しており、制御プログラムの動作結果や地上デジタル放送受信端末６００の各回路部の動作結果などの各種情報をメモリ６０７に格納したり、ディスプレイ６１９に表示させたり、視聴者が操作部６２０を介して選局した放送番組をディスプレイ６１９に表示させたり、あるいは、基地局６３２を介して、通信局６５０やインターネットのＷｅｂサイト（情報サービスセンタなど）との間で、各種情報を送受信させることができる。
また、現在時刻を計数するタイマー６０８や、アドレス帳、バックアッププログラムなどを格納している二次記憶媒体６０５等も備えられていて、必要に応じて、制御部６０９は、タイマー６０８から現在時刻を読み出したり、二次記憶媒体６０５から通信相手先のアドレス、例えば、通信局６５０宛の電話番号などの情報を読み出すことができる。
【００６１】
一方、通信局６５０は、通信回線網６３３との間の通信回線を接続制御するための回線接続部６５１、６５３と、回線接続部６５１と回線接続部６５３との間の接続状態を任意に切り換えることができるスイッチ部６５２と、回線接続部６５１、６５３から受信した情報を抽出したり、逆に、回線接続部６５１、６５３に送信する情報を挿入したりすることができる情報授受部６５４とを備えており、通信制御部６５５の制御に基づいて、通信メモリ６５６やデータベース６５７との間で情報を授受することができる。
【００６２】
例えば、情報授受部６５４において、回線接続部６５１から地上デジタル放送受信端末６００からのＥＰＧ要求情報（地上デジタル放送受信端末６００の現在位置において受信可能な放送番組を示すＥＰＧ情報の送信要求）が抽出された場合、通信制御部６５５は、バス６５８を介して通信メモリ６５６に該ＥＰＧ要求情報を保存すると共に、該ＥＰＧ要求情報に含まれている位置情報（緯度・経度情報、更に、場合によっては、高度や移動速度・移動方向に関する情報）などを含む環境情報を取り出して、該環境情報に基づいて、データベース６５７内にあるＥＰＧ６５７ａを検索する。該環境情報が示す受信環境条件において受信可能な放送番組を示すＥＰＧが抽出された場合、通信制御部６５５は、選択ＥＰＧとして編集した後、情報授受部６５４に送り、回線接続部６５３を介して返送する。
【００６３】
ここで、ＥＰＧ要求情報として、端末機種情報が含まれている場合に備えて、該端末機種情報に対応する形で作成されているＥＰＧ６５７ａを検索することも可能であるし、あるいは、ＥＰＧ要求情報として、地上デジタル放送受信端末６００からの前記位置情報が示す場所の気象情報も考慮に入れて、受信可能な放送番組に関する情報を要求されている場合にも備えて、通信制御部６５５にて、かかるＥＰＧ要求情報が受信された場合は、前記位置情報が示す場所の気象情報を取得するために、例えば、情報授受部６５４を介して回線接続部６５３からインターネットへの回線接続を行ない、インターネットとの接続がなされた後に、前記位置情報が示す場所の気象情報を、インターネットの気象情報Ｗｅｂサイトから回線接続部６５１、情報授受部６５４を介して受信し、情報授受部６５４から得た該気象情報に基づいて、通信制御部６５５は、該気象情報に対応する形で作成されているＥＰＧ６５７ａを検索することも可能である。
【００６４】
更には、ＥＰＧ要求情報として、選択ＥＰＧではなく、その代わりに、受信可能な放送チャンネルの放送サービスエリアを示す選択放送サービスエリアマップの返送が要求されている場合に備えて、通信制御部６５５は、データベース６５７のＥＰＧ６５７ａの代わりに放送チャンネル毎に用意されている放送サービスエリアマップ６５７ｂを前記位置情報に基づいて検索して、検索結果として抽出された放送サービスエリアマップを、選択放送サービスエリアマップとして、情報授受部６５４，回線接続部６５３を介して返送することも可能である。
【００６５】
即ち、通信局６５０は、受信環境条件毎に受信可能な放送番組をＥＰＧとして、及び／又は、前記受信環境条件毎に受信可能な放送サービスエリアを放送チャンネル毎に示す地図情報を放送サービスエリアマップとして格納しているデータベースと、前記ＥＰＧ要求情報を受信するＥＰＧ要求情報受信手段と、前記データベースの検索結果である選択ＥＰＧや選択放送サービスエリアマップを示す選択情報を返信する選択情報返信手段とを備えている。
【００６６】
なお、図６に示す実施例においては、ＥＰＧ６５７ａや放送サービスエリアマップ６５７ｂを格納しているデータベース６５７を、通信サービスを提供する通信局６５０に備えている場合を例示しているが、本発明は、前述のごとく、かかる場合に限るものではなく、例えば、放送局自身に、ＥＰＧ６５７ａや放送サービスエリアマップ６５７ｂの情報を格納するデータベース６５７を備えていても良いし、あるいは、他のサービス業者がインターネットなどの回線を介してサービスを提供する情報サービスセンタに備えることとしても良い。
【００６７】
（その他）
通信局が、視聴者の受信位置などの受信環境条件に対応して、受信することが可能な放送番組を示す選択ＥＰＧを提供することによって、視聴者は現在位置において受信可能な放送番組を確認することができ、所望の放送番組の選局が可能となる。また、放送局にとっては、視聴者に対して提供している放送サービスの存在を知らせることができるので、より多くの視聴者を獲得することができ、更には、通信局にとっても、視聴者からのＥＰＧ要求情報に応答して有効な選択ＥＰＧの送信を行なうことに伴う通信回線の使用料を視聴者から徴収できるといったそれぞれのメリットを得ることができる。
【００６８】
また、視聴者は自ら使用する地上デジタル放送受信端末の位置情報を自ら入力して送信する手間が不要となり、受信可能な放送番組を示すＥＰＧの送信を要求するＥＰＧ要求情報を即時に通信局へ送信することが可能となる。
【００６９】
また、視聴者が位置するいわゆる二次元的位置（緯度・経度の平面的な位置）のみでなく、高さ方向の情報も含めた三次元的位置や視聴者の動きに関する情報も位置情報として与えることができ、通信局は、視聴者の視聴により適したＥＰＧを提供することが可能となる。
例えば、二次元的には同じ場所にいるとしても、ビルの屋上にいる人と地下にいる人、また、静止している人と新幹線で移動中の人とでは受信可能な放送番組は当然異なったものになる。このような各視聴者の置かれている局所的な環境にも対応して、各受信環境条件において、視聴に適したＥＰＧの提供が可能となる。
【００７０】
また、通信局は、ＥＰＧ要求情報を送信した地上デジタル放送受信端末の端末機種情報が示す受信性能に関する情報を得ることができ、該地上デジタル放送受信端末の受信感度に応じたＥＰＧを提供することが可能となる。
例えば、固定設定型の固定用受信端末の屋外アンテナや据付型Ｖ字モノポールアンテナ、移動用受信端末の指向性アンテナやダイバーシティアンテナ、携帯用受信端末のロッドアンテナ等、地上デジタル放送受信端末の種類によって受信性能は異なる。かくのごとく受信性能が異なる各地上デジタル放送受信端末に応じて、それぞれ異なる受信感度に対応したＥＰＧの提供が可能となる。
【００７１】
また、視聴者をとりまく気象環境情報を加味して、より視聴者の視聴に適したＥＰＧを提供することが可能となる。
例えば、同じ木陰で放送を受信していたとしても、一般に、雨天時では濡れた木の葉で放送電波が遮られて、受信感度が悪くなり、一方、晴天時では受信感度が良いといった差異がある。同様に、湿度や風速によっても電波伝播環境が異なることになる。かくのごとく、時間経過によっても変化するような、各視聴者の置かれている周囲の受信環境条件に対応したＥＰＧの提供が可能となる。
【００７２】
前述したごとく、受信する地上デジタル放送受信端末が置かれている詳細な環境情報に対応したＥＰＧを提供せんとする場合、通信局（又は、通信回線を利用して本サービスを行なう放送局やサービス業者）にて、一度は、地上デジタル放送受信端末が置かれている様々な受信環境条件に対応した受信感度に関する情報を、実際に実地試験を行なったり、あるいは、大がかりなシミュレーションを行なったりすることにより獲得して、様々な局所的な受信環境条件にも対応可能なＥＰＧのデータベースを作成しなくてはならない。
【００７３】
而して、地上デジタル放送受信端末が帰属するある程度の広がりを有する予め定められた領域（例えば、ＥＰＧに関する通信に用いる基地局のカバーエリア（無線セル範囲））を最小単位として、単純に、該領域毎に通常状態にありさえすれば視聴可能と想定される選択ＥＰＧを配信する手段を経済的に実現することも有効である。
かかる手段を用いた場合、地上デジタル放送受信端末が置かれている受信環境条件によっては、受信した選択ＥＰＧが対応していない（受信可能なはずの放送を受信することができない等）の事態も発生する可能性があるが、逆に、該領域において通常状態である限り受信可能な一般的な選択ＥＰＧを受信しているため、地上デジタル放送受信端末の受信環境条件を少し変更することにより放送を受信することができる可能性があることを視聴者に通知するという効果もある。
【００７４】
即ち、選択ＥＰＧを受信した地上デジタル放送受信端末が非常に特殊な環境に置かれている場合（例えば、たまたま妨害電波を発生させている電気機器等の近傍に視聴者が所在している場合等）であっても、選択ＥＰＧにより通知されている放送番組、即ち、該地域において通常状態にある限り視聴することが一般的に可能とされる放送番組を受信するために、現在の位置から多少移動して、受信可能な場所へ移ろうという動機を視聴者に与えることが可能となる。
【００７５】
また、一般に、ＥＰＧの内容としては、現在受信可能な放送局（放送チャンネル）毎の放送番組の内容やタイムテーブルを指すが、本発明の地上デジタル放送受信端末に表示されるＥＰＧは、受信可能な状態にある放送局名やチャンネル番号という放送局の一覧情報のみを表示する場合を想定している。而して、たとえ、放送番組の内容がわからなくとも、地上デジタル放送受信端末において、放送局毎の受信の可否がわかるシンプルなＥＰＧとして表示することができれば、例えば、携帯用小型ディスプレイにであっても、表示文字数が少なく、反って見易い表示とすることができる。
【００７６】
また、受信可能な放送局の一覧を簡明にチャンネルアイコンの一覧として、例えば、携帯用の地上デジタル放送受信端末の小型ディスプレイ上に小さく表示することが可能となる。
【００７７】
また、視聴者は、通信局から返信されてくる選択放送サービスエリアマップが示す受信可能な場所を容易に知ることができ、選択放送サービスエリアマップが示す地上デジタル放送の受信可能な放送サービスエリアと自分の現在位置との相対的な位置関係を確認することが可能となる。
例えば、視聴者の現在位置が放送サービス外エリアであり、すぐ近傍に放送を視聴することができる放送サービス内エリアが存在する場合、放送を受信するために、現在位置から受信可能な場所へ移動せんとする動機を与えることができる。
【００７８】
また、特に、車載用端末や携帯用端末は、様々な受信環境下で使用されるため、一般的には、地上デジタル放送を受信できない場面も多い。しかし、本発明の地上デジタル放送受信端末から構成される地上デジタル放送選局システムとすることにより、地上デジタル放送受信端末が、固定設置型端末だけに限らず、車載用端末や携帯用端末の場合であっても、有効に利用可能となる。
【００７９】
また、視聴者は現在位置において受信可能な放送番組や放送サービスエリアを確認することができ、所望の放送番組の選局が可能となる。
【００８０】
また、通信局が、視聴者の受信位置に対応して、受信することが可能な放送番組を示す選択ＥＰＧや選択放送サービスエリアマップを提供することによって、視聴者からのＥＰＧ要求情報に応答して有効な選択ＥＰＧや選択放送サービスエリアマップの送信を行なうことに伴う通信回線の使用料を視聴者から徴収できるといったメリットを得ることができる。
【００８１】
また、地上デジタル放送局そのものが、視聴者の受信位置に対応して受信することが可能な放送番組を示す選択ＥＰＧを提供することによって、視聴者に対して提供している放送サービスの存在を知らせることができるので、より多くの視聴者を獲得することができる。
【００８２】
また、通信局が、視聴者の受信位置などの受信環境条件に対応して、受信することが可能な放送番組を示す選択ＥＰＧを提供することによって、視聴者は現在位置において受信可能な放送番組を確認することができ、所望の放送番組の選局が可能となる。また、放送局にとっては、視聴者に対して提供している放送サービスの存在を知らせることができるので、より多くの視聴者を獲得することができ、更には、通信局にとっても、視聴者からのＥＰＧ要求情報に応答して有効な選択ＥＰＧの送信を行なうことに伴う通信回線の使用料を視聴者から徴収できるといったそれぞれのメリットを得ることができる。
【図面の簡単な説明】
【００８３】
【図１】地上デジタル放送選局システムにおける各種信号の流れを示す模式図である。
【図２】受信環境条件が異なる４箇所の屋外の位置で、それぞれ地上デジタルテレビの視聴を所望する４人の視聴者の場合について比較して示した模式図である。
【図３】車載用端末における放送電波の受信における問題点を示す模式図である。
【図４】選択ＥＰＧの表示において、受信可能な放送局のチャンネルアイコンを表示する例を示す模式図である。
【図５】放送番組を受信可能なサービス内エリアと受信不可能なサービス外エリアとを放送チャンネル毎の放送サービスエリアマップとして表示した場合の例を示す模式図である。
【図６】地上デジタル放送受信システムを構成する地上デジタル放送受信端末と通信局との一例として、地上デジタル放送受信対応携帯電話と回線交換通信局との全体構成例をそれぞれ示すブロック構成図である。
【図７】地上デジタル放送サービスの放送形態の一例を示す概念図である。
【図８】地上デジタル放送サービスの放送形態の他の例を示す概念図である。
【符号の説明】
【００８４】
１００…放送受信端末、１００ａ…ＧＰＳ処理部、１０１…近傍の電波塔Ａ、１０２…遠くの電波塔Ｂ、１０３…気象情報Ｗｅｂサイト、１０４…基地局、１０５…通信回線網、１０６…通信局、１０７…データベース、１０８…ＥＰＧ、１０９…放送サービスエリアマップ、１０９−１…ＣＨ１（チャンネル１）の放送サービスエリアマップ、１０９−２…ＣＨ２（チャンネル２）の放送サービスエリアマップ、１１０…放送電波、１５１…ＥＰＧ要求情報、１５１ａ…環境情報、１５１ａ１…位置情報、１５１ａ２…端末機種情報、１５１ｂ…ＥＰＧリクエスト、１５３…気象情報、１５４…選択情報、１５４ａ…選択ＥＰＧ、１５４ｂ…選択放送サービスエリアマップ、２０１ａ…電波塔Ａ、２０１ｂ…電波塔Ｂ、２０２…ビル街、２０３…車内、２０４…公園、２１１…視聴者Ａ、２１１ａ…視聴者Ａの選択ＥＰＧ、２１２…視聴者Ｂ、２１２ａ…視聴者Ｂの選択ＥＰＧ、２１３…視聴者Ｃ、２１３ａ…視聴者Ｃの選択ＥＰＧ、２１４…視聴者Ｄ、２１４ａ…視聴者Ｄの選択ＥＰＧ、３０１…電波塔Ａ、３０２…電波塔Ｂ、３０３…車内、３１３…車内の視聴者、α，β…方向、４０１…受信映像領域、４０２…アイコン表示領域、４０３…チャンネルアイコン、５０１…現在位置、５０２…サービス外エリア、５０３…サービス内エリア、５０４…アイコン表示領域、５０５…チャンネルアイコン、６００…地上デジタル放送受信端末、６０１…放送用アンテナ、６０２…チューナ、６０３…ＯＦＤＭ復調器、６０４…デコーダ、６０５…二次記憶媒体、６０６…主記憶部、６０７…メモリ、６０７ａ…ＥＰＧ要求情報、６０７ｂ…位置情報、６０７ｃ…端末機種情報、６０８…タイマー、６０９…制御部、６１０…通信用アンテナ、６１１…ＲＦ処理部、６１２…Ｗ−ＣＤＭＡ処理部、６１３…ベースバンド部、６１４…電話音声ＡＤ／ＤＡ処理部、６１５…音声信号処理部、６１６…マイク、６１７…スピーカ、６１８…映像信号処理部、６１９…ディスプレイ、６２０…操作部、６２１…ＧＰＳ用アンテナ、６２２…ＧＰＳ処理部、６２３…バス、６３１…電波塔、６３２…基地局、６３３…通信回線網、６５０…通信局、６５１…回線接続部、６５２…スイッチ部、６５３…回線接続部、６５４…情報授受部、６５５…通信制御部、６５６…通信メモリ、６５７…データベース、６５７ａ…ＥＰＧ、６５７ｂ…放送サービスエリアマップ、６５８…バス、７０１…データセグメント、７０２…伝送スペクトル（ＯＦＤＭセグメント）、７０３…音声受信、７０４…移動受信、７０５…ＳＤＴＶ受信、７０６…１セグメント受信、８０１…データセグメント、８０２…伝送スペクトル（ＯＦＤＭセグメント）、８０３…携帯受信、８０４…ハイビジョンＴＶ受信、８０５…１セグメント受信。
【図１】
2008011562.tif 000003
【図２】
2008011562.tif 000004
【図３】
2008011562.tif 000005
【図４】
2008011562.tif 000006
【図５】
2008011562.tif 000007
【図６】
2008011562.tif 000008
【図７】
2008011562.tif 000009
【図８】
2008011562.tif 000010